【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】インクジェット記録装置及び画像形成装置、ヘッド駆動制御装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通するインク流路と、このインク流路の一部に設けた振動板と、この振動板に対向する電極とを有し、前記振動板を静電気力で電極側に変形させ、この変形した振動板を復元させて前記ノズルからインク滴を吐出させるインクジェットヘッドを備えたインクジェット記録装置において、前記振動板が前記電極に接触した後に発生する前記インク流路内の圧力変動が正圧となっている時間内に振動板を復元させて前記インク滴を吐出させる手段を備えていることを特徴とするインクジェット記録装置。
【請求項２】
請求項１に記載のインクジェット記録装置において、前記インク流路内の圧力変動が正圧となっている時間内で、前記振動板と前記電極との間に発生する充放電電流の変化が略零となるタイミングで振動板を復元させることを特徴とするインクジェット記録装置。
【請求項３】
請求項１又は２のいずれかに記載のインクジェット記録装置において、前記振動板と前記電極との間にパルス状の駆動波形を印加し、この駆動波形のパルス幅を前記インク流路内の圧力変動が正圧となっている時間内に振動板が復元するように設定していることを特徴とするインクジェット記録装置。
【請求項４】
請求項３に記載のインクジェット記録装置において、前記パルス状の駆動波形を１画素内で複数回印加し、前記インク流路内の圧力変動が正圧となる時間毎に振動板を複数回復元させることを特徴とするインクジェット記録装置。
【請求項５】
請求項４に記載のインクジェット記録装置において、１画素内で振動板を複数回復元させて複数の圧力波を発生させ、複数の圧力波を重ね合わせて１つのインク滴を吐出させることを特徴とするインクジェット記録装置。
【請求項６】
請求項４に記載のインクジェット記録装置において、１画素内で振動板を複数回復元させて複数の圧力波を発生させ、各圧力波毎に前記ノズルから複数のインク滴を分離吐出させることを特徴とするインクジェット記録装置。
【請求項７】
請求項６に記載のインクジェット記録装置において、前記ノズルから分離吐出された複数のインク滴を飛翔中に一体化させることを特徴とするインクジェット記録装置。
【請求項８】
インク滴を吐出するノズルと、このノズルが連通するインク流路と、このインク流路の一部に設けた振動板と、この振動板に対向する電極とを有し、前記振動板を静電気力で電極側に変形させ、この変形した振動板を復元させて前記ノズルからインク滴を吐出させるインクジェットヘッドを駆動するヘッド駆動制御装置において、前記振動板が前記電極に接触した後に発生する前記インク流路内の圧力変動が正圧となっている時間内に振動板を復元させる駆動波形生成出力手段を備えていることを特徴とするヘッド駆動制御装置。
【請求項９】
請求項８に記載のヘッド駆動制御装置において、前記インク流路内の圧力変動が正圧となっている時間内で、前記振動板と前記電極との間に発生する充放電電流の変化が略零となるタイミングで振動板を復元させる駆動波形生成出力手段を備えていることを特徴とするヘッド駆動制御装置。
【請求項１０】
請求項８又は９に記載のヘッド駆動制御装置において、１画素内で振動板を複数回復元させる駆動波形生成出力手段を備えていることを特徴とするヘッド駆動制御装置。
【請求項１１】
請求項１０に記載のヘッド駆動制御装置において、１画素内で振動板を複数回復元させて複数の圧力波を発生させ、複数の圧力波を重ね合わせて１つのインク滴を吐出させる駆動波形生成出力手段を備えていることを特徴とするヘッド駆動制御装置。
【請求項１２】
請求項１０に記載のヘッド駆動制御装置において、１画素内で振動板を複数回復元させて複数の圧力波を発生させ、各圧力波毎に前記ノズルからインク滴を分離吐出させる駆動波形生成出力手段を備えていることを特徴とするヘッド駆動制御装置。
【請求項１３】
請求項１２に記載のヘッド駆動制御装置において、前記ノズルから分離吐出された複数のインク滴を飛翔中に一体化させる駆動波形生成出力手段を備えていることを特徴とするヘッド駆動制御装置。
【請求項１４】
インク滴を吐出するノズルと、このノズルが連通するインク流路と、このインク流路の一部に設けた振動板と、この振動板に対向する電極とを有し、前記振動板を静電気力で電極側に変形させ、この変形した振動板を復元させて前記ノズルからインク滴を吐出させるインクジェットヘッドを備えた画像形成装置において、前記振動板が前記電極に接触した後に発生する前記インク流路内の圧力変動が正圧となっている時間内に振動板を復元させて前記インク滴を吐出させる手段を備えていることを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置、ヘッド駆動制御装置に関し、特に静電型インクジェットヘッドを搭載したインクジェット記録装置及び画像形成装置、静電型インクジェットヘッドを駆動制御するヘッド駆動制御装置に関する。
する。
【手続補正４】
【補正対象書類名】明細書
【補正対象項目名】００１０
【補正方法】変更
【補正の内容】
【００１０】
本発明は上記の課題に鑑みてなされたものであり、効率の良いタイミングで安定したインク滴の吐出特性が得られるインクジェット記録装置、画像形成装置及びヘッド駆動制御装置を提供することを目的とする。
【手続補正５】
【補正対象書類名】明細書
【補正対象項目名】００１１
【補正方法】変更
【補正の内容】
【００１１】
【課題を解決するための手段】
上記の課題を解決するため、本発明に係るインクジェット記録装置及び画像形成装置は、振動板が電極に接触した後に発生するインク流路内の圧力変動が正圧となっている時間内に振動板を復元させてインク滴を吐出させる手段を備えている構成としたものである。
【手続補正６】
【補正対象書類名】明細書
【補正対象項目名】００１９
【補正方法】変更
【補正の内容】
【００１９】
【発明の実施の形態】
以下、本発明の実施の形態を添付図面を参照して説明する。図１は本発明に係る画像形成装置としてのインクジェット記録装置の機構部の概略斜視説明図、図２は同機構部の側面説明図である。
【手続補正７】
【補正対象書類名】明細書
【補正対象項目名】００８４
【補正方法】変更
【補正の内容】
【００８４】
なお、上記実施形態において、インクジェットヘッドのノズル、加圧室、流体抵抗部、共通流路液室の形状、配置、形成方法は適切に変更することができる。例えば、上記実施形態においては、ノズルを振動板の変位方向と交差する方向にインク滴が吐出するように形成したエッジシュータ方式のインクジェットヘッドであるが、ノズルを振動板の変位方向にインク滴が吐出するように形成したサイドシュータ方式のインクジェットヘッドでもよい。また、前述したようにプリンタ、ファクシミリ、プロッタ等の画像形成装置及び液滴を吐出する装置にも本発明を適用することができる。
【手続補正８】
【補正対象書類名】明細書
【補正対象項目名】００８５
【補正方法】変更
【補正の内容】
【００８５】
【発明の効果】
以上説明したように、本発明に係るインクジェット記録装置及び画像形成装置によれば、振動板が電極に接触した後に発生するインク流路内の圧力変動が正圧となっている時間内に振動板を復元させてインク滴を吐出させるので、駆動電圧に対して効率の良いタイミングで安定したインク滴を吐出させることができて、より低電圧で安定した印字品質を得ることができる。